(57)【要約】      （修正有）【課題】タングステンボート異形部品の生産効率を向上させると同時に、材料利用率の最大化を実現する異形タングステンボート用プレス成形装置を提供する。【解決手段】異形タングステンボート用プレス成形装置であって、アッパー金型パンチ３を駆動してロウアー金型溝２と相対運動を行うことにより、タングステンボートの成形を実現し、駆動機構はモーター４、フレーム５に設けられたカム６とアッパーテンプレートを備える。カムはトランスミッションアセンブリーを通じて連接棒に連結され、連接棒はアッパーテンプレート７に連結され、カムの回転運動をアッパーテンプレートの上下の往復運動に転化させる。ワークプラットホーム１には同じ数のロウアー金型溝が対応的に設置され、且つ複数のロウアー金型溝のセンターラインとカム軸の中心軸線がワークプラットホームでの投影は一定の夾角になり、前記ワークプラットホームの下方にはさらにオートマチックアンローディング機構が設けられる。【選択図】図１
0003193136.tif 000002
【実用新案登録請求の範囲】
【請求項１】
ワークプラットホーム（1）、異形タングステンボート成形用のロウアー金型溝（2）及びアッパー金型パンチ（3）を備えた異形タングステンボート用プレス成形装置であって、前記ロウアー金型溝（2）は前記ワークプラットホーム（1）に固定的に設置され、前記アッパー金型パンチ（3）は駆動機構を通じて前記ロウアー金型溝（2）の上方に設置され、前記駆動機構の動作は前記アッパー金型パンチ（3）を動かして上下に往復運動させ、前記アッパー金型パンチ（3）を駆動して前記ロウアー金型溝（2）と相対運動を行うことにより、タングステンボートの成形を実現し、前記ロウアー金型溝（2）は中部にあるアンロードモジュール（201）と前記アンロードモジュール（201）の周囲にある成形モジュール（202）とを含み、前記アンロードモジュール（201）は長方形である異形タングステンボート用プレス成形装置において、
前記駆動機構はモーター（4）、前記ワークプラットホーム（1）に垂直に設置されたフレーム（5）、前記フレーム（5）に設けられたカム（6）、及びアッパーテンプレート（7）を備え、前記モーター（4）は動力を出力し、且つカム軸を通じて前記カム（6）を動かして回転させ、前記カム（6）はトランスミッションアセンブリーを通じて連接棒（8）に連結され、前記連接棒（8）は前記アッパーテンプレート（7）に連結され、前記カム（6）の回転運動を前記アッパーテンプレート（7）の上下の往復運動に転化させ、前記アッパーテンプレート（7）の上部には前記連接棒（8）に連結されたテンプレートハンドル（701）が固定的に設置され、前記アッパーテンプレート（7）の下部には同じ直線上にある複数の前記アッパー金型パンチ（3）が設けられ、前記ワークプラットホーム（1）には同じ数の前記ロウアー金型溝（2）が対応的に設置され、且つ複数の前記ロウアー金型溝（2）のセンターラインとカム軸の中心軸線が前記ワークプラットホーム(1)上でなす投影角度は30°から45°で、
各前記ロウアー金型溝内の前記アンロードモジュール（201）は何れも一つのプッシュロッド（9）に連結され、当該プッシュロッド（9）は前記ワークプラットホーム（1）を貫通した後、且つ伸び出し、その伸び出し端は共に一つの移動ブロック（10）に連結され、前記移動ブロック（10）はガイド柱（11）に套設され、前記ガイド柱（11）の下端は固定され、前記ガイド柱（11）にはさらにスプリングサポートシート（12）が固定的に連結され、前記スプリングサポートシート（12）と前記移動ブロック（10）の間にある前記ガイド柱にはスプリング（13）が套設されている、
ことを特徴とする異形タングステンボート用プレス成形装置。
【請求項２】
二つの前記ガイド柱（11）が設けられ、前記ガイド柱（11）の下端はベースに固定され、前記ガイド柱（11）の上端は前記ワークプラットホーム（1）の下端面に固定される、
ことを特徴とする、請求項１に記載の異形タングステンボート用プレス成形装置。
【請求項３】
前記スプリングサポートシート（12）は二つの前記ガイド柱（11）に固定的に設置され、前記スプリングサポートシート（12）と前記移動ブロック（10）の間にある二つの前記ガイド柱にはそれぞれスプリングが套設されている、
ことを特徴とする、請求項２に記載の異形タングステンボート用プレス成形装置。
【考案の詳細な説明】
【技術分野】
【０００１】
本考案は硬質板材の成形設備に関わり、具体的には異形タングステンボート用プレス成形装置に関する。
【背景技術】
【０００２】
周知のように、タングステンは硬度が高く、耐高温強度が高く、弾性係数が大きく、成形し難く、高温加工を採用しなければならない。したがって、タングステン異形部品の設計要求は高い。
【０００３】
タングステン異形部品は高温炉の構造部品及び蒸着ボートに用いられるが、タングステン製部品は製作が困難であり、異形タングステンボートの製作はより難しい。しかし、市場では専門的にタングステンボートを製作するための設備がないと同時に、異形タングステンボート設備の設計要求が高く、製作が困難で、製品率が低いことから、大量生産しにくい。
【考案の概要】
【考案が解決しようとする課題】
【０００４】
本考案の目的は、異形タングステンボート用プレス成形装置を提供することであって、当該装置はタングステンボート異形部品の生産効率を向上させると同時に、材料利用率の最大化を実現することにより、企業の生産コストを削減し、企業の利潤を向上させることである。
【課題を解決するための手段】
【０００５】
上述した目的のために本考案は下記の技術方案を採用している。ワークプラットホーム、異形タングステンボート成形用のロウアー金型溝とアッパー金型パンチを備えた異形タングステンボート用プレス成形装置であって、前記ロウアー金型溝はワークプラットホームに固定的に設置され、アッパー金型パンチは駆動機構を通じてロウアー金型溝の上方に設置され、駆動機構の動作はアッパー金型パンチを動かして上下に往復運動させ、アッパー金型パンチを駆動してロウアー金型溝と相対運動を行うことにより、タングステンボートの成形を実現し、前記ロウアー金型溝は中部にあるアンロードモジュールとアンロードモジュールの周囲にある成形モジュールを含み、前記アンロードモジュールは長方形である。
【０００６】
前記駆動機構はモーター、ワークプラットホームに垂直に設置されたフレーム、フレームに設けられたカムとアッパーテンプレートを備え、モーターは動力を出力し、且つカム軸を通じてカムを動かして回転させ、カムはトランスミッションアセンブリーを通じて連接棒に連結され、連接棒はアッパーテンプレートに連結され、カムの回転運動をアッパーテンプレートの上下の往復運動に転化させ、アッパーテンプレートの上部には連接棒に連結されたテンプレートハンドルが固定的に設置され、アッパーテンプレートの下部には同じ直線上にある複数のアッパー金型パンチが設けられ、ワークプラットホームには同じ数のロウアー金型溝が対応的に設置され、且つ複数のロウアー金型溝のセンターラインとカム軸の中心軸線がワークプラットホーム上でなす投影角度は30°から45°である。
【０００７】
各ロウアー金型溝内のアンロードモジュールは何れも一つのプッシュロッドに連結され、当該プッシュロッドはワークプラットホームを貫通した後、且つ伸び出し、その伸び出し端は共に一つの移動ブロックに連結され、前記移動ブロックはガイド柱に套設され、ガイド柱の下端は固定され、ガイド柱にはさらにスプリングサポートシートが固定的に連結され、スプリングサポートシートと移動ブロックの間にあるガイド柱にはスプリングが套設されている。
【０００８】
さらに好ましくは、二つの前記ガイド柱が設けられ、ガイド柱の下端はベースに固定され、ガイド柱の上端はワークプラットホームの下端面に固定される。
【０００９】
さらに好ましくは、前記スプリングサポートシートは二つのガイド柱に固定的に設置され、スプリングサポートシートと移動ブロックの間にある二つのガイド柱にはそれぞれスプリングが套設されている。
【考案の効果】
【００１０】
第一は、複数組のロウアー金型溝とアッパー金型パンチを設置し、且つ複数のアッパー金型パンチがアッパーテンプレートの底部に固定されることにより連接棒を通じて上下に往復運動させると同時に、複数のロウアー金型溝のセンターラインとカム軸の中心軸線がワークプラットホームでの投影の夾角は30°から45°であることを保証した。このような構造の設計は無限に長い板材を連続的にモジュールの間に送ってブランキング作業を行うことを実現することができ、ブランキングされる板材を最大限に利用し、原材料の浪費を減少させることができる。
【００１１】
第二は、アッパー金型パンチと組合式ロウアー金型を通じて特殊な形状を有する異形タングステンボートを製作することにより、異形部品の大量生産が可能となり、生産効率を向上し、生産コストを節約することができる。
【００１２】
第三は、各ロウアー金型溝内のアンロードモジュールは何れも一つのプッシュロッドに連結され、当該プッシュロッドはワークプラットホームを貫通した後、且つ伸び出し、その伸び出し端は共に一つの移動ブロックに連結され、前記移動ブロックはガイド柱に套設され、ガイド柱の下端は固定され、ガイド柱にはさらにスプリングサポートシートが設けられ、スプリングサポートシートと移動ブロックの間にあるガイド柱にはスプリングが套設されている。この構造はスプリングの弾性力を通じて成形されたタングステンボートを取り出すことができ、他の工具を必要せず、加工が迅速で、使いやすい。
【図面の簡単な説明】
【００１３】
【図１】本考案の構造概略図である。
【図２】ロウアー金型溝とアッパー金型パンチの具体的な設置方式の構造概略図である。
【図３】本考案におけるロウアー金型溝の構造概略図である。
【考案を実施するための形態】
【００１４】
図に示されているように、ワークプラットホーム1、異形タングステンボート成形用のロウアー金型溝2、及びアッパー金型パンチ3を備えた異形タングステンボート用プレス成形装置であって、前記ロウアー金型溝2はワークプラットホーム1に固定的に設置され、アッパー金型パンチ3は駆動機構を通じてロウアー金型溝2の上方に設置され、駆動機構の動作はアッパー金型パンチ3を動かして上下に往復運動させ、アッパー金型パンチ3を駆動してロウアー金型溝2と相対運動を行うことにより、タングステンボートの成形を実現し、前記ロウアー金型溝2はアンロードモジュール201と成形モジュール202を含み、前記アンロードモジュール201は長方形で、アンロードモジュール201は中部に位置し、成形モジュール202はアンロードモジュール201の周囲に分布すると同時に、アンロードモジュールと成形モジュールの間には全て予め一定の隙間を取って置き、既に初歩的に成形されたタングステンボートを折畳み、タングステンボートを製作することができる。
【００１５】
前記駆動機構はモーター4、ワークプラットホーム1に垂直に設置されたフレーム5、フレーム5に設けられたカム6、及びアッパーテンプレート7を備え、モーター4は動力を出力し、且つカム軸を通じてカム6を動かして回転させ、カム6はトランスミッションアセンブリーを通じて連接棒8に連結され、連接棒8はアッパーテンプレート7に連結され、カム6の回転運動をアッパーテンプレート7の上下の往復運動に転化させる。アッパーテンプレート7の上下往復移動を安定させるためには、さらにガイド機構を設けることができ、例えば、ガイド筒を設置することにより連接棒8の運動を限定するか、連接棒の両端にスライド機構を設置することによりスライドブロックがリードレールで平行移動且つスライドすることを保証する等が挙げられ、アッパーテンプレート7の上部には連接棒8に連結されたテンプレートハンドル701が固定的に設置され、アッパーテンプレート7の下部には同じ直線上にある複数のアッパー金型パンチ3が設けられ、ワークプラットホーム1には同じ数のロウアー金型溝2が対応的に設置され、且つ複数のロウアー金型溝2のセンターラインとカム軸の中心軸線がワークプラットホーム上でなす投影角度は30°から45°で、例えば夾角を30°、40°又は45°に設定することができ、当該構造の設計は無限に長い板材を連続的にモジュールの間に送ってブランキング作業を行うことを実現することができ、ブランキングされる板材を最大限に利用し、原材料の浪費を減少させることができる。
【００１６】
各ロウアー金型溝内のアンロードモジュール201は何れも一つのプッシュロッド9に連結され、当該プッシュロッド9はワークプラットホーム1を貫通した後、且つ伸び出し、その伸び出し端は共に一つの移動ブロック10に連結され、前記移動ブロック10はガイド柱11に套設され、ガイド柱11の下端は固定され、ガイド柱11にはさらにスプリングサポートシート12が固定的に連結され、スプリングサポートシート12と移動ブロック10の間にあるガイド柱にはスプリング13が套設されている。
【００１７】
本考案において、移動過程で移動ブロックの安定的なスライドを実現するため、二つのガイド柱11を設けることができ、その下端はベースに固定され、上端はワークプラットホーム1の下端面に固定されるが、この際、スプリングサポートシート12は二つのガイド柱11に固定的に設置され、スプリングサポートシート12と移動ブロック10の間にある二つのガイド柱にはそれぞれスプリングが套設されている。
【００１８】
当該装置のワークフローは下記の通りである。タングステン板を一定の角度でロウアー金型溝の上端面に置いた後、モーターを駆動し、カムを通じてアッパーテンプレートを動かして下に押さえ、アッパーテンプレートにある複数のアッパー金型パンチはタングステン板を対応する複数のロウアー金型溝内に押圧し、下に押さえる過程で、各ロウアー金型溝内にあるアンロードモジュールはアッパー金型パンチの圧力により下へ押さえられ、アンロードモジュールに連結された移動ブロックはガイド柱に沿って下へ移動すると同時に、スプリングに対し圧力を発生し、アッパーテンプレートのダウンストロークが終了した後、アッパー金型パンチを動かして上方に移動し、圧縮されたスプリングの弾性力を受け、移動ブロックは突き戻されると同時に、アンロードモジュールもプッシュロッドにより元の位置に突き戻され、アンロードモジュールはロウアー金型溝に置いた既に初歩的に成形されたタングステンボートを突き出す。
【符号の説明】
【００１９】
1        ワークプラットホーム
2        ロウアー金型溝
201      アンロードモジュール
202      成形モジュール
3        アッパー金型パンチ
4        モーター
5        フレーム
6        カム
7        アッパーテンプレート
701      テンプレートハンドル
8        連接棒
9        プッシュロッド
10      移動ブロック
11      ガイド柱
12      スプリングサポートシート
13      スプリング
【図１】
0003193136.tif 000003
【図２】
0003193136.tif 000004
【図３】
0003193136.tif 000005